(57)【要約】【課題】光ファイバ素線をきずつけることなく確実、簡便に被覆を剥ぎ取り、剥ぎ取り後保持することのできる光ファイバホルダを提供する。【解決手段】光ファイバ収納孔および光ファイバ素線収納孔は一直線状に配置されて該光ファイバ収納孔出口と該光ファイバ素線収納孔入口とは対向され、ファイバ素線載置部の入口側端面には光ファイバ収納孔出口に向って先端刃が突出し、内面が光ファイバ素線を保護する保護管として形成され、全体として円盤状をなした被覆除去刃が形成されて光ファイバ収納孔を貫通した光ファイバはその被覆が被覆除去刃によって連続して剥がれ、剥き出しにされた光ファイバ素線はファイバ素線収納孔に保持される。【選択図】図１
2009300500.tif 000002
【特許請求の範囲】
【請求項１】
光ファイバ収納孔を備えた光ファイバ収納部と、光ファイバ素線収納孔を備えた光ファイバ素線載置部とが形成された光ファイバホルダにおいて、
前記光ファイバ収納部の内部に光ファイバ素線載置部収納孔が設けられて前記光ファイバ素線載置部が収納され、かつ取り出し自在とされ、前記光ファイバ収納孔および前記光ファイバ素線収納孔は一直線状に配置されて該光ファイバ収納孔出口と該光ファイバ素線収納孔入口とは対向され、前記ファイバ素線載置部の入口側端面には前記光ファイバ収納孔出口に向って先端刃が突出し、内面が光ファイバ素線を保護する保護管として形成され、全体として円盤状をなした被覆除去刃が形成されて前記光ファイバ収納孔を貫通した光ファイバはその被覆が前記被覆除去刃によって連続して剥がれ、むき出しにされた光ファイバ素線は前記ファイバ素線収納孔に保持されるようにしたこと
を特徴とする光ファイバホルダ。
【請求項２】
請求項１において、前記被覆除去刃は先端刃の一部に突起刃を備え、該突起刃が前記光ファイバ収納孔出口に向って突出することを特徴とする光ファイバホルダ。
【請求項３】
請求項１において、前記保護管が前記ファイバ収納孔に連続した接続形体とされたことを特徴とする光ファイバホルダ。
【請求項４】
請求項１において、前記被覆除去刃は前記光ファイバ収納孔出口から離間して配置される前記光ファイバ素線載置部収納孔に連通し、前記光ファイバ収納孔出口と前記光ファイバ素線載置部入口端との間に剥がれた被覆材を排出する排出孔が前記光ファイバ収納部に形成されることを特徴とする光ファイバホルダ。
【請求項５】
請求項１において、前記ファイバ収納部は、前記光ファイバ素線載置部に面して分割された入口側収納部および出口側収納部から構成されて着脱可能とされて一体とされ、出口側収納部は、光ファイバ素線載置部と一体とされ、前記出口側収納部および前記光ファイバ素線載置部は前記入口側収納部から一体とされて着脱されることを特徴とする光ファイバホルダ。
【請求項６】
請求項１から５のいずれかにおいて、前記被覆除去刃は、外径調整機構によって外径が調整されるようにされたことを特徴とする光ファイバホルダ。
【発明の詳細な説明】
【技術分野】
【０００１】
本発明は、光ファイバホルダに関する。
【背景技術】
【０００２】
従来、光ファイバ（光ファイバ心線）の端部に光コネクタを接続する際には、光ファイバの端部の被覆（シース）を剥ぎ取って、光ファイバ素線（ガラス，裸ファイバ）を露出させた後、光ファイバ素線の清掃を行い、光ファイバ素線（ファイバ）カットを行い、コネクタへ光ファイバ素線を挿入し、ファイバ固定を行うことがなされている。
【０００３】
特許文献１には、光ファイバを収容する溝内に光ファイバ切断刃および被覆除去刃を形成することが記載されている。
【０００４】
特許文献２には、一対の被覆除去刃の近傍に除去された被覆材を外部に排出する誘導路（排出溝）を形成することが記載されている。
【０００５】
特許文献３には、ストッパと被覆除去刃を組み合わせることが記載されている。
【０００６】
特許文献４には、被覆除去刃を回転させることが記載されている。
【０００７】
【特許文献１】特開２００７−２６４５０５号公報
【特許文献２】特開２００１−３１１８３１号公報
【特許文献３】特開昭６２−５８２０５号公報
【特許文献４】特開２００６−３２３４２４号公報
【発明の開示】
【発明が解決しようとする課題】
【０００８】
従来、光ファイバから被覆を剥ぎ取るための被覆除去刃には一対の刃が用いられ、刃幅を調整するようにしている。
【０００９】
本発明は、光ファイバ素線をきずつけることなく確実、簡便に被覆を剥ぎ取り、剥ぎ取り後保持することのできる光ファイバホルダを提供することを目的とする。
【課題を解決するための手段】
【００１０】
本発明は、光ファイバ収納孔を備えた光ファイバ収納部と、光ファイバ素線収納孔を備えた光ファイバ素線載置部とが形成された光ファイバホルダにおいて、
前記光ファイバ収納部の内部に光ファイバ素線載置部収納孔が設けられて前記光ファイバ素線載置部が収納され、かつ取り出し自在とされ、前記光ファイバ収納孔および前記光ファイバ素線収納孔は一直線状に配置されて該光ファイバ収納孔出口と該光ファイバ素線収納孔入口とは対向され、前記ファイバ素線載置部の入口側端面には前記光ファイバ収納孔出口に向って先端刃が突出し、内面が光ファイバ素線を保護する保護管として形成され、全体として円盤状をなした被覆除去刃が形成されて前記光ファイバ収納孔を貫通した光ファイバはその被覆が前記被覆除去刃によって連続して剥がれ、むき出しにされた光ファイバ素線は前記ファイバ素線収納孔に保持されるようにしたこと
を特徴とする光ファイバホルダを提供する。
【００１１】
本発明は、また、前記被覆除去刃は先端刃の一部に突起刃を備え、該突起刃が前記光ファイバ収納孔出口に向って突出することを特徴とする光ファイバホルダを提供する。
【００１２】
本発明は、また、前記保護管が前記ファイバ収納孔に連続した接続形体とされたことを特徴とする光ファイバホルダを提供する。
【００１３】
本発明は、また、前記被覆除去刃は前記光ファイバ収納孔出口から離間して配置される前記光ファイバ素線載置部収納孔に連通し、前記光ファイバ収納孔出口と前記光ファイバ素線載置部入口端との間に剥がれた被覆材を排出する排出孔が前記光ファイバ収納部に形成されることを特徴とする光ファイバホルダを提供する。
【００１４】
本発明は、また、前記ファイバ収納部は、前記光ファイバ素線載置部に面して分割された入口側収納部および出口側収納部から構成されて着脱可能とされて一体とされ、出口側収納部は、光ファイバ素線載置部と一体とされ、前記出口側収納部および前記光ファイバ素線載置部は前記入口側収納部から一体とされて着脱されることを特徴とする光ファイバホルダを提供する。
【００１５】
本発明は、また、前記被覆除去刃は、外径調整機構によって外径が調整されるようにされたことを特徴とする光ファイバホルダを提供する。
【発明の効果】
【００１６】
本発明は、被覆除去刃を円盤状をなす被覆除去刃にして、内面が光ファイバ素線を保護する保護管として形成しているので、光ファイバの被覆を剥ぐ時の接続が全円周方向で受けられ、かつ被覆が剥がれた光ファイバ素線は保護管で保持されるので、光ファイバ素線をきずつけることなく確実、簡便に被覆を剥ぎ取ることができる。
【発明を実施するための最良の形態】
【００１７】
以下、本発明の実施例を図面に基づいて説明する。
【実施例】
【００１８】
図１は、本発明の実施例の光ファイバホルダの構成を示す図である。
図１において、光ファイバホルダ１は光ファイバ収納部３と光ファイバ素線載置部４から構成される。光ファイバ収納部３は円筒状あるいは箱状をなし、内部に長手方向に光ファイバ収納孔５を備え、光ファイバ素線載置部４は円筒状をなし、内部に長手方向に光ファイバ素線収納孔６を備える。
【００１９】
光ファイバ収納孔５は、入口側は拡大口７とされ、拡大口７に向けて光ファイバ２が配設される。光ファイバ２は光ファイバ心線と言われる場合があり、ガラスで構成される光ファイバ素線を被覆（シース）で覆った形状とされる。光ファイバ素線は裸光ファイバあるいは単に光ファイバと言われる場合があるが、ここでは光ファイバ素線（すなわちガラス線）として説明する。
【００２０】
光ファイバ収納部３は入口側収納部３Ａと出口側収納部３Ｂとから構成されて着脱自在とされ、一体化される。入口側収納部３Ａと出口側収納部３Ｂの境界８にかけて内部に光ファイバ素線載置部収納孔９が形成され、この光ファイバ素線載置部収納孔９内に出口端の面を合わせて光ファイバ素線載置部３Ｂが配設される。この場合に、光ファイバ素線載置部収納孔９と光ファイバ収納孔５とは連通され、光ファイバ収納孔５の出口側には空間部１０が形成される。光ファイバ収納部３Ａには、空間部１０に連通して剥がれた被覆材を外部へ誘導する排出孔３０が形成してある。
【００２１】
光ファイバ収納孔５と光ファイバ素線収納孔６とは一直線状に形成され、配置される。
【００２２】
光ファイバ素線載置部３Ｂの入口側面には突起した円盤状をなした被覆除去刃１１が形成してある。この被覆除去刃１１は光ファイバ素線載置部３Ａの一部として形成され、光ファイバ素線載置部３Ａとは一体のものである。従って、被覆除去刃１１の内部に形成される内面が光ファイバ素線を保護することになる保護管１２は光ファイバ素線収納孔６に連続して連通しており、光ファイバ素線収納孔６の一部として形成してもよい。
【００２３】
図２は光ファイバ素線載置部３Ｂの外形全体を示す斜視図であり、図３は被覆除去刃部を拡大して示す図である。
【００２４】
これらの図に示すように、被覆除去刃１１は光ファイバ素線載置部３Ｂの入口側面２１に、光ファイバ収納孔５（図１）に向かって突出されて形成される。被覆除去刃１１は全体として円盤状をなし、先端刃２２が円周状の先端刃とされ、光ファイバ収納孔５に向かって突出する。被覆除去刃１１は内部に光ファイバ素線のための保護管１２が形成され、光ファイバ素線収納孔６と連通され、外面２３は漸次出口側に向かって拡大傾斜する傾斜面とされ、先端刃をしっかりと保持する構成とされる。
保護管１２および光ファイバ素線収納孔６の内径は光ファイバ素線の外径に対してわずかに大きなものとしている。
【００２５】
図４に拡大して示すように、外面２３に先端刃２２よりも更に突出するようにして突起刃２５を形成するようにしてもよい。このように形成することによって突起刃２５は被覆の切り裂き刃となり、先端刃２２は剥き刃として機能することになる。
【００２６】
図５において、押し込み装置（図示せず）によって拡大口７から光ファイバ２を光ファイバ収納孔５に挿入し、更に貫通させて空間部１０を通過させ、光ファイバ２の先端を被覆除去刃１１の先端である先端刃２２に当てる。先端刃２２は光ファイバ収納孔５の出口に近接しており、光ファイバ２は一直線配置された光ファイバ素線収納孔６、すなわち先端刃２２（被覆除去刃１１）に精確に当接させることができる。
【００２７】
先端刃２２は予めその円周径が光ファイバ素線２Ａよりもわずかに大きなものとされているので、光ファイバ２が先端刃２２に当接すると、先端刃２２は光ファイバ素線とシースとの間に位置することになる。
【００２８】
このような状態で押し込み装置によって更に光ファイバ２を押し込むと押し込み力が作用し、被覆除去刃１１によって光ファイバ２はシースが剥かれて剥かれた被覆材となって空間部１０を案内されて空間部１０、更に排出孔３０を介して外部に誘導され、切断されて排出される。
【００２９】
なお、排出孔３０を設けることなく、空間部内に圧縮して（密度を高くして）保持するようにしてもよい。
【００３０】
シースが剥かれた光ファイバ素線２Ａは、保護管１２内に押し出され、更に光ファイバ素線収納孔６へと押し出される。被覆除去刃１１によってシースが剥かれるとそのシースが被覆されていた光ファイバ素線２Ａは保護管１２の内面によって直線状に保持され、光ファイバ素線収納孔６へと案内される。
【００３１】
このように、シースが剥かれた光ファイバ素線２Ａがぶれることなく案内されるので、被覆除去刃１１によるシース剥きが確実になされる。また、この場合に、被覆除去刃１１は円盤状をなしているために剥きによって生じる抵抗が円盤状全体に亘って発生するために抵抗による変位は無くなり、確実にシース剥きがなされることになる。
【００３２】
シースが剥かれた光ファイバ素線２Ａの先端部はわずかばかりの所定量光ファイバ素線収納孔６から外部に出され、他の光ファイバ素線との固着、接続に供される。この状態において、光ファイバ２の一部は光ファイバ収納孔５内に収納され、光ファイバ素線２Ａは光ファイバ素線収納孔６に収納され保持される。
【００３３】
このようにしてフェルール構造が形成された光コネクタが形成される。すなわち、上述した光ファイバホルダはフェルール機能を有する光コネクタとして形成されたことになる。
【００３４】
以上の実施例にあっては、被覆除去刃１１は外径が固定の固定体として構成されたが、被覆除去刃１１に外径調整機能を設けて外径を調整しながら所定の外径にセットするようにしてもよい。この場合にあっても被覆剥き時の抵抗によって外径が変化しないようにしっかりした構造とする。
【００３５】
図６は、本実施例のフローチャートを示す。比較のために従来例を添えている。
【００３６】
図６において、光ファイバカット１（Ｓ１）、光ファイバホルダ、すなわち光コネクタに光ファイバを挿入する（Ｓ２）。この時に、被覆除去刃によって被覆が剥かれて除去がなされる。次いで、光ファイバ素線を光ファイバ素線載置部に保持して他の光ファイバ素線と接続し、固定させる（Ｓ３）。このようにしてフェルールを完成させる。
【００３７】
従来例と比較すると、本実施例は前処理としての光ファイバ被覆除去および光ファイバ清掃などの処理を必要としない。
【００３８】
以上のように、光ファイバ収納部３の内部に光ファイバ素線載置部収納孔６が設けられて光ファイバ素線載置部４が収納され、かつ取り出し自在とされる。光ファイバ収納孔３および光ファイバ素線収納孔６は一直線状に配置されて光ファイバ収納孔出口と該光ファイバ素線収納孔入口とは対向される。ファイバ素線載置部４の入口側端面には光ファイバ収納孔出口に向って先端刃２２が突出し、内面が光ファイバ素線２Ａを保護する保護管１２として形成され、全体として円盤状をなした被覆除去刃が形成される。これによって、光ファイバ収納孔６を貫通した光ファイバ２はその被覆が被覆除去刃１１によって連続して剥がれ、むき出しにされた光ファイバ素線は前記ファイバ素線収納孔に保持される。
【図面の簡単な説明】
【００３９】
【図１】本発明の実施例の構成を示す図。
【図２】被覆除去刃の構成を示す斜視図。
【図３】被覆除去刃の構成を示す断面拡大図。
【図４】他の案になる被覆除去刃の構成を示す図。
【図５】被覆除去刃による被覆除去の状況を示す図。
【図６】フローチャート図。
【符号の説明】
【００４０】
１…光ファイバホルダ（光コネクタ）、２…光ファイバ、２Ａ…光ファイバ素線、３…光ファイバ収納部、４…光ファイバ素線載置部、５…光ファイバ収納孔、６…光ファイバ素線収納孔、９…光ファイバ素線載置部収納孔、１０…空間部、１１…被覆除去刃、１２…保護管、２２…先端刃、２３…外面、２５…突起刃。
【図１】
2009300500.tif 000003
【図２】
2009300500.tif 000004
【図３】
2009300500.tif 000005
【図４】
2009300500.tif 000006
【図５】
2009300500.tif 000007
【図６】
2009300500.tif 000008